【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
撮像手段による一連の撮像動作により得られた複数の画像を合成し、前記一連の撮像動作により取得された各画像の画角よりも広い画角の合成画像を生成する合成手段と、
前記一連の撮像動作のために用いられる焦点距離に関する情報を取得する取得手段と、
前記複数の画像を得るための前記一連の撮像動作の前に、前記取得手段により取得された情報に基づく焦点距離を用いた前記撮像手段による撮像動作により得られたライブビュー画像を表示し、前記ライブビュー画像上に、前記取得手段により取得された情報に基づく焦点距離を用いた前記撮像手段による前記一連の撮像動作により得られる複数の画像を用いて生成される前記合成画像の画角を示す長方形のアイテムを表示するように表示手段を制御する制御手段とを備え、
前記制御手段は、前記焦点距離が第１の距離である場合に、前記第１の距離を用いた前記撮像手段による撮像動作により取得されたライブビュー画像上に、前記第1の距離を用いた前記撮像手段による前記一連の撮像動作により得られる複数の画像を用いて生成される前記合成画像の画角を示す長方形のアイテムを第１のアスペクト比で表示し、
前記第１のアスペクト比で表示された前記長方形のアイテムが前記第１の距離を用いた撮像動作により取得されたライブビュー画像上に表示されている状態で、前記焦点距離が前記第１の距離から第２の距離へ変更された場合に、前記第２の距離を用いて前記撮像動作により取得されたライブビュー画像上に、前記第２の距離を用いた前記撮像手段による前記一連の撮像動作により得られる複数の画像を用いて生成される前記合成画像の画角を示す長方形のアイテムを第２のアスペクト比で表示することを特徴とする撮像制御装置。
【請求項２】
前記一連の撮像動作の開始を指示する指示手段をさらに有し、
前記制御手段は、前記指示手段への指示が行われたことに応じて、前記一連の撮像動作を開始するように制御することを特徴とする請求項１に記載の撮像制御装置。
【請求項３】
前記合成画像は、前記指示手段への指示が行われた後に開始する前記一連の撮像動作によって取得される複数の画像によって順次生成されることを特徴とする請求項２に記載の撮像制御装置。
【請求項４】
前記制御手段は、前記長方形のアイテムと共に前記合成画像を表示することを特徴とする請求項１乃至３のいずれか１項に記載の撮像制御装置。
【請求項５】
前記合成手段によって生成可能な合成画像の最大の画素数は、前記焦点距離情報に関わらず同じであることを特徴とする請求項１乃至４のいずれか１項に記載の撮像制御装置。
【請求項６】
前記一連の撮像動作は、撮像部の向きを変更しながら撮影を行うことを特徴とする請求項１乃至５のいずれか１項に記載の撮像制御装置。
【請求項７】
前記焦点距離情報は、ズーム倍率に基づくものであることを特徴とする請求項１乃至６のいずれか１項に記載の撮像制御装置。
【請求項８】
前記ズーム倍率は、光学ズームもしくは電子ズームであることを特徴とする請求項７に記載の撮像制御装置。
【請求項９】
前記制御手段は、ユーザーが行うズーム操作によって取得した焦点距離情報に応じて、前記焦点距離情報を変化させることを特徴とする請求項１乃至７のいずれか１項に記載の撮像制御装置。
【請求項１０】
第１のレンズユニットと前記第１のレンズユニットとは異なる第２のレンズユニットとをさらに有し、
前記制御手段は、前記撮像動作に前記第１のレンズユニットを使用する場合は、前記焦点距離情報が前記第１の距離となり、前記撮像動作に前記第２のレンズユニットを使用する場合は、前記焦点距離情報が前記第２の距離となるように制御することを特徴とする請求項１乃至９のいずれか１項に記載の撮像制御装置。
【請求項１１】
前記制御手段は、前記一連の撮像動作を行っている間は、前記焦点距離情報の変更を行わないように制御することを特徴とする請求項１乃至１０のいずれか１項に記載の撮像制御装置。
【請求項１２】
前記制御手段は、前記第１のアスペクト比で表示される長方形のアイテムと、前記第２のアスペクト比で表示される長方形のアイテムは、サイズが異なるように表示することを特徴とする請求項１乃至１１のいずれか１項に記載の撮像制御装置。
【請求項１３】
前記制御手段は、前記第１のアスペクト比で表示される長方形のアイテムは、前記第２のアスペクト比で表示される長方形のアイテムよりも大きく、前記第１の距離は前記第２の距離よりも短いことを特徴とする請求項１乃至１２のいずれか１項に記載の撮像制御装置。
【請求項１４】
焦点距離が互いに異なる複数のレンズユニットをさらに有し、
前記取得手段は前記複数のレンズユニットから前記焦点距離情報を取得し、
前記複数のレンズユニットは、前記一連の撮像動作の前に前記焦点距離情報を用いた撮像動作によって取得されるライブビュー画像を表示し、前記複数の画像は前記一連の撮像動作を実行することによって取得され、前記一連の撮像動作の間に前記複数のレンズユニットの内、少なくとも１つのレンズユニットを使用することによって前記合成画像を生成することを特徴とする請求項１乃至１３のいずれか１項に記載の撮像制御装置。
【請求項１５】
前記撮像制御装置は、少なくともデジタルカメラと携帯電話のうちいずれかであることを特徴とする請求項１乃至１４のいずれか１項に記載の撮像制御装置。
【請求項１６】
撮像制御装置の制御方法であって、
撮像手段による一連の撮像動作により得られた複数の画像を合成し、前記一連の撮像動作により取得された各画像の画角よりも広い画角の合成画像を生成する合成ステップと、
前記一連の撮像動作のために用いられる焦点距離に関する情報を取得する取得ステップと、
前記複数の画像を得るための前記一連の撮像動作の前に、前記取得ステップにより取得された情報に基づく焦点距離を用いた前記撮像手段による撮像動作により得られたライブビュー画像を表示し、前記ライブビュー画像上に、前記取得ステップにより取得された情報に基づく焦点距離を用いた前記撮像手段による前記一連の撮像動作により得られる複数の画像を用いて生成される前記合成画像の画角を示す長方形のアイテムを表示するように表示手段を制御する制御ステップと、があり、
前記制御ステップは、前記焦点距離が第１の距離である場合に、前記第１の距離を用いた前記撮像手段による撮像動作により取得されたライブビュー画像上に、前記第1の距離を用いた前記撮像手段による前記一連の撮像動作により得られる複数の画像を用いて生成される前記合成画像の画角を示す長方形のアイテムを第１のアスペクト比で表示し、
前記第１のアスペクト比で表示された前記長方形のアイテムが前記第１の距離を用いた撮像動作により取得されたライブビュー画像上に表示されている状態で、前記焦点距離が前記第１の距離から第２の距離へ変更された場合に、前記第２の距離を用いて前記撮像動作により取得されたライブビュー画像上に、前記第２の距離を用いた前記撮像手段による前記一連の撮像動作により得られる複数の画像を用いて生成される前記合成画像の画角を示す長方形のアイテムを第２のアスペクト比で表示するように制御することを特徴とする撮像制御装置の制御方法。
【請求項１７】
コンピュータを、請求項１乃至１５のいずれか１項に記載された撮像制御装置の各手段として機能させるためのプログラム。
【請求項１８】
コンピュータを、請求項１乃至１５のいずれか１項に記載された撮像制御装置の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
上記目的を達成するために、本発明の撮像制御装置は、
撮像手段による一連の撮像動作により得られた複数の画像を合成し、前記一連の撮像動作により取得された各画像の画角よりも広い画角の合成画像を生成する合成手段と、
前記一連の撮像動作のために用いられる焦点距離に関する情報を取得する取得手段と、
前記複数の画像を得るための前記一連の撮像動作の前に、前記取得手段により取得された情報に基づく焦点距離を用いた前記撮像手段による撮像動作により得られたライブビュー画像を表示し、前記ライブビュー画像上に、前記取得手段により取得された情報に基づく焦点距離を用いた前記撮像手段による前記一連の撮像動作により得られる複数の画像を用いて生成される前記合成画像の画角を示す長方形のアイテムを表示するように表示手段を制御する制御手段とを備え、
前記制御手段は、前記焦点距離が第１の距離である場合に、前記第１の距離を用いた前記撮像手段による撮像動作により取得されたライブビュー画像上に、前記第1の距離を用いた前記撮像手段による前記一連の撮像動作により得られる複数の画像を用いて生成される前記合成画像の画角を示す長方形のアイテムを第１のアスペクト比で表示し、
前記第１のアスペクト比で表示された前記長方形のアイテムが前記第１の距離を用いた撮像動作により取得されたライブビュー画像上に表示されている状態で、前記焦点距離が前記第１の距離から第２の距離へ変更された場合に、前記第２の距離を用いて前記撮像動作により取得されたライブビュー画像上に、前記第２の距離を用いた前記撮像手段による前記一連の撮像動作により得られる複数の画像を用いて生成される前記合成画像の画角を示す長方形のアイテムを第２のアスペクト比で表示するように制御することを特徴とする。